【手続補正書】
【提出日】平成16年6月30日(2004.6.30)
【手続補正１】
【補正対象書類名】特許請求の範囲
【補正対象項目名】全文
【補正方法】変更
【補正の内容】
【特許請求の範囲】
【請求項１】
多層容器であって、
容器の最外層を定義し、ポリプロピレンを含む第１の層；および
バリヤー材料を含み、前記第１の層に直接結合している第２の層
を含み、
前記第１および第２の層の少なくとも一方がさらに、最高約０．２０重量％の量でその中に組み込まれている接着剤を含む、
前記多層容器。
【請求項２】
前記第１の層が最高約０．０３重量％の接着剤を含む、請求項１に記載の容器。
【請求項３】
接着剤が無水マレイン酸である、請求項２に記載の容器。
【請求項４】
前記バリヤー材料がＥＶＯＨを含む、請求項１に記載の容器。
【請求項５】
前記容器が、約０．０１５インチを超える全体的厚さを有する容器区域で測定して約２９％未満のヘイズ値を有する、請求項１に記載の容器。
【請求項６】
約０．０１５インチを超える全体的厚さを有する容器区域で測定して約１０％〜１２％のヘイズ値を有する、請求項１に記載の容器。
【請求項７】
多層容器であって、
容器の最内層を定義し、ポリプロピレンを含む第１の層；および
バリヤー材料を含み、前記第１の層に直接結合している第２の層
を含み、
前記第１および第２の層の少なくとも一方がさらに、最高約０．２０重量％の量でその中に組み込まれている接着剤を含む、
前記多層容器。
【請求項８】
前記第１の層が最高約０．０３重量％の接着剤を含む、請求項７に記載の容器。
【請求項９】
接着剤が無水マレイン酸である、請求項８に記載の容器。
【請求項１０】
前記バリヤー材料がＥＶＯＨを含む、請求項７に記載の容器。
【請求項１１】
前記容器が、約０．０１５インチを超える全体的厚さを有する容器区域で測定して約２９％未満のヘイズ値を有する、請求項７に記載の容器。
【請求項１２】
約０．０１５インチを超える全体的厚さを有する容器区域で測定して約１０％〜１２％のヘイズ値を有する、請求項７に記載の容器。
【請求項１３】
延伸ブロー成形多層容器であって、
ポリプロピレンを有する第１の層；および
バリヤー材料を含み、第１の層に直接結合している第２の層
を含み、
該容器が、少なくとも０．０１５インチの全体的壁厚を有する容器区域で約２９％未満のヘイズ値を有する、
前記延伸ブロー成形多層容器。
【請求項１４】
ヘイズ値が約１２％未満である、請求項１３に記載の容器。
【請求項１５】
再加熱延伸ブロー成形により製造される、請求項１３に記載の容器。
【請求項１６】
さらに、ポリプロピレンを有し第１の層の反対側で第２の層に直接結合している第３の層を含む、請求項１３に記載の容器。
【請求項１７】
バリヤー材料がＥＶＯＨである、請求項１３に記載の容器。
【請求項１８】
第１および第３の層の少なくとも一方がさらに、第２の層への第１および第３の層の結合を促進するための結合剤を含む、請求項１３に記載の容器。
【請求項１９】
多層容器であって、  
容器の最内層を定義し、バリヤー材料を含む第１の層；
第１の層に直接隣接し、ポリプロピレンおよび接着剤を含む第２の層；
第２の層に直接隣接し、バリヤー材料を含む第３の層
を含む、前記多層容器。
【請求項２０】
さらに、容器の最外層を定義しポリプロピレンを含む第４の層を含む、請求項１９に記載の容器。
【請求項２１】
さらに、第３の層と第４の層の間に別個の接着剤層を含む、請求項２０に記載の容器。
【請求項２２】
さらに、第３および第４の層の間に粉砕再生材料層を含む、請求項２０に記載の容器。
【請求項２３】
接着剤が無水マレイン酸を含む、請求項１９に記載の容器。
【請求項２４】
無水マレイン酸が最高０．０３重量％の量で第２の層に存在する、請求項２２に記載の容器。
【請求項２５】
ポリプロピレンを含み、フィニッシュ、フィニッシュから伸長しているネック、ネックから伸長している側壁、および側壁から伸長している底面を有する容器を再加熱延伸ブロー成形するための射出成形したプレフォームであって、該プレフォームが、支持フランジを有するフィニッシュと、支持フランジから伸長しているネック、ネックから伸長している側壁、およびブロー区域を閉じている底面を有するプレフォームブロー区域とを含み、該プレフォーム側壁が、容器側壁の厚さの少なくとも約２．３倍の厚さを有する、前記射出成形したプレフォーム。
【請求項２６】
プレフォーム側壁が、容器側壁の厚さの少なくとも２．５倍の厚さを有する、請求項２５に記載のプレフォーム。
【請求項２７】
プレフォーム側壁が、容器側壁の厚さの少なくとも２．７倍の厚さを有する、請求項２５に記載のプレフォーム。
【請求項２８】
プレフォーム側壁の平均厚さが、容器側壁の平均厚さの少なくとも２．５倍である、請求項２５に記載のプレフォーム。
【請求項２９】
プレフォーム側壁の厚さが０．０７４〜０．１２０インチで変動し、容器側壁の厚さが０．０２５〜０．０３２インチである、請求項２５に記載のプレフォーム。
【請求項３０】
容器を生産するための半径方向の平均延伸比が約４．５：１より小さい、請求項２５に記載のプレフォーム。
【請求項３１】
容器を生産するための半径方向の平均延伸比が約１．５：１〜４．５：１である、請求項２５に記載のプレフォーム。
【請求項３２】
プレフォームが少なくとも９０％のポリプロピレンを含む、請求項２５に記載のプレフォーム。
【請求項３３】
ポリプロピレンを含む容器を延伸ブロー成形するための射出成形したプレフォームであって、該プレフォームが、軸線を定義し、そして、支持フランジを有するフィニッシュと、支持フランジから伸長しているネック、ネックから伸長している側壁、およびブロー区域を閉じている底面を含むプレフォームブロー区域とを含み、該底面が、ブロー区域の他のすべての部分より大きい厚さを定義する増大した厚さの部分を有し、側壁の下部末端および底面が、プレフォーム軸線の方へ内側に向いている、前記射出成形したプレフォーム。
【請求項３４】
底面部分が、増大した厚さの底面部分からプレフォーム軸線まで薄くなっていく、請求項３３に記載のプレフォーム。
【請求項３５】
側壁が、ネックから底面まで厚さにおいて増大していく、請求項３３に記載のプレフォーム。
【請求項３６】
中間バリヤー層を含む、請求項３３に記載のプレフォーム。
【請求項３７】
プレフォームが少なくとも９０％のポリプロピレンを含む、請求項３３に記載のプレフォーム。
【請求項３８】
ポリプロピレンを含み、フィニッシュ、フィニッシュから伸長しているネック、ネックから伸長している側壁、および側壁から伸長している底面を有する容器を延伸ブロー成形するための射出成形したプレフォームであって、該プレフォームが、支持フランジを有するフィニッシュと、支持フランジから伸長しているネック、ネックから伸長している側壁、およびブロー区域を閉じている底面を有するプレフォームブロー区域とを含み、該プレフォームが、容器を生産するための約４．５：１より小さい半径方向の平均延伸比を促進する、前記射出成形したプレフォーム。  
【請求項３９】
容器を生産するための半径方向の平均延伸比が約１．５：１〜４．５：１である、請求項３８に記載のプレフォーム。
【請求項４０】
プレフォームが少なくとも９０％のポリプロピレンを含む、請求項３８に記載のプレフォーム。
【請求項４１】
容器を生産するための軸方向の延伸比が約１．６：１より小さい、請求項３８に記載のプレフォーム。
【請求項４２】
軸線を定義し、フィニッシュと、フィニッシュから伸長しているネック、ネックから伸長している側壁、およびブロー区域を閉じている底面を含むプレフォームブロー区域とを含むプレフォームを延伸ブロー成形するためのプレフォームの再加熱法であって、該底面が、ブロー区域の他のすべての部分より大きい厚さを定義する増大した厚さの部分を有し、該再加熱法が、プレフォームブロー部分を複数の再加熱電球に暴露して、プレフォームブロー部分の温度を上昇させることを含み、増大した厚さのプレフォーム底面部分の外皮が、実質的に１個の電球のみによる加熱線に暴露されている、前記再加熱法。
【請求項４３】
加熱線が赤外加熱線である、請求項４２に記載の方法。
【請求項４４】
プレフォームがポリプロピレンを含む、請求項４２に記載の方法。
【請求項４５】
プレフォームが少なくとも９０％のポリプロピレンを含む、請求項４４に記載の方法。
【請求項４６】
細長いロッドと、細長いロッドの末端に固定された先端とを含む延伸ブロー成形用延伸ロッドであって、該先端が、背面、およびプレフォームとかみ合わせるための弓状の延伸表面を定義し、該背面が、先端背面の表面積を増大させるための表面変形を含む、前記延伸ブロー成形用延伸ロッド。
【請求項４７】
表面変形が、先端背面により定義される孔を含む、請求項４６に記載の延伸ロッド。
【請求項４８】
表面変形が、先端背面により定義される溝を含む、請求項４６に記載の延伸ロッド。
【請求項４９】
表面変形が、先端背面から伸長しているひれを含む、請求項４６に記載の延伸ロッド。
【請求項５０】
先端が軸線に関して環状である、請求項４６に記載の延伸ロッド。